(57)【特許請求の範囲】
【請求項１】
壁面に取り付けられた空気調和機の室内機から外部に延びてコンセントに差し込まれるプラグを備えた電源配線でなるメイン配線と、前記室内機から外部に延びて前記コンセントのアース端子に接続されるアース線でなるサブ配線と、を結束するための配線結束装置であって、
前記メイン配線に結束体が設けられ、該結束体にサブ配線を結束させるようにしてあり、
前記結束体が弾性変形可能な合成樹脂材により成形されていて、前記メイン配線に外嵌する環状連結部と、該連結部に一体突設されて先端が互いに当接または接近する弾性変形可能な一対の爪片を有しかつそれら両爪片の先端角部にその先端角部を切除して形成された傾斜面を備える挟持部とからなり、該挟持部の両爪片を弾性変形させてその両爪片間に前記サブ配線を嵌入させており、
前記連結部の外周面に設けた係止片を、前記壁面に設けた固定側突起部に係止することにより、電源配線とアース片とを前記壁面に沿って結束していることを特徴とする配線結束装置。
【請求項２】
前記挟持部が前記連結部の下面に一体突設されていることを特徴とする請求項１記載の配線結束装置。
【請求項３】
前記挟持部が前記連結部の側面に一体突設されていることを特徴とする請求項１記載の配線結束装置。
【請求項４】
前記挟持部が前記連結部の外周面複数箇所に一体突設されていることを特徴とする請求項１記載の配線結束装置。
【請求項５】
電源配線とアース線とが同色である請求項３に記載した配線結束装置。
【発明の詳細な説明】
【０００１】
【発明の属する技術分野】
本発明は、空気調和機から外部に延びる電源配線とアース線とを結束するための配線結束装置に関する。
【０００２】
【従来の技術】
従来、空気調和機の一例として図１０に示すものがある。これは、吸気口１ａ及び送風口１ｂを備えた室内機１から外部に延びる電源配線（メイン配線）２とアース線（サブ配線）３とのうち、電源配線２のプラグ２ａをコンセント４に接続すると共に、アース線３の先端をコンセント４のアース端子５に接続するようにしたものである。
【０００３】
【発明が解決しようとする課題】
上記従来の構成では、電源配線２とアース線３とが室内に露出した状態で別個に配線されており、その配線の状態にまとまりがなく、美観を損なっている。
【０００４】
そこで、例えば実開昭６４−５４３８１号公報に記載する結束体により前記電源配線２とアース線３とを結束することが考えられるが、この結束体は、複数の配線を単に結束するだけのものであって、構成が複雑で、結束操作が面倒である。
【０００５】
本発明は、上記従来の難点に鑑み、簡単な構成で結束操作を容易に行うことができる配線結束装置を提供することを目的としている。
【０００６】
【課題を解決するための手段】
上記目的を達成するため、請求項１記載の発明は、壁面に取り付けられた空気調和機の室内機から外部に延びてコンセントに差し込まれるプラグを備えた電源配線でなるメイン配線と、前記室内機から外部に延びて前記コンセントのアース端子に接続されるアース線でなるサブ配線と、を結束するための配線結束装置であって、前記メイン配線に結束体が設けられ、該結束体にサブ配線を結束させるようにしてあり、前記結束体が弾性変形可能な合成樹脂材により成形されていて、前記メイン配線に外嵌する環状連結部と、該連結部に一体突設されて先端が互いに当接または接近する弾性変形可能な一対の爪片を有しかつそれら両爪片の先端角部にその先端角部を切除して形成された傾斜面を備える挟持部とからなり、該挟持部の両爪片を弾性変形させてその両爪片間に前記サブ配線を嵌入させており、前記連結部の外周面に設けた係止片を、前記壁面に設けた固定側突起部に係止することにより、電源配線とアース片とを前記壁面に沿って結束していることを特徴としている。
【０００７】
上記構成によれば、結束体によりメイン配線とサブ配線とを一つにまとめているから、外観上の体裁が良好である。また、メイン配線を利用してサブ配線を結束するようになっているから、前記結束体の構成が簡単になり、製作費を安くすることができる。
【０００８】
また、前記結束体が、前記メイン配線に外嵌する連結部と、該連結部に一体突設されて先端が互いに当接または接近する弾性変形可能な一対の爪片を有する挟持部とからなり、該挟持部の両爪片を弾性変形させてその両爪片間に前記サブ配線を嵌入させるようにしてあるので、結束体の構成が簡単で製作費を安くすることができ、また、連結部をメイン配線に外嵌させた状態で、一対の爪片の先端間にサブ配線を押し込むだけで、メイン配線とサブ配線とを容易に結束することができる。
【０００９】
また、前記挟持部の両爪片の先端角部に、その先端角部を切除して傾斜面が形成されているので、両爪片の先端角部を切除して形成した傾斜面にサブ配線を押し付けることにより、そのサブ配線を両爪片間に容易に嵌入させることができる。
【００１０】
さらに、前記連結部の外周面に係止片が突設され、該係止片を壁面の固定側突起部に係止させるようにしたので、メイン配線とサブ配線とを前記壁面に沿って所定通りに結束することができる。
【００１１】
請求項２記載の発明は、請求項２記載の発明において、前記挟持部が前記連結部の下面に一体突設されていることを特徴としている。
【００１２】
上記構成によれば、サブ配線をメイン配線の下面に沿って平行に配線することができ、外観上の体裁が良好である。
【００１３】
請求項３記載の発明は、請求項２記載の発明において、前記挟持部が前記連結部の側面に一体突設されていることを特徴としている。
【００１４】
上記構成によれば、サブ配線をメイン配線の側面に沿って平行に配線することができ、そのサブ配線とメイン配線とが重なるから、外観上の体裁が一層良好である。
【００１５】
請求項４記載の発明は、請求項２記載の発明において、前記挟持部が前記連結部の外周面複数箇所に一体突設されていることを特徴としている。
【００１６】
上記構成によれば、挟持部が複数設けられているから、所望の挟持部にサブ配線を挟持させることができると共に、残りの挟持部に他の電気機器の配線などを挟持させることができ、使い勝手が良い。
【００１７】
請求項５記載の発明は、請求項３記載の発明において、電源配線とアース線とが同色であることを特徴としている。
【００１８】
上記構成によれば、両配線を一体化させることができ、外観上の体裁を一層良好に維持することができる。
【００１９】
【発明の実施の形態】
以下、本発明の実施の形態を図面に基づいて説明する。図１は本発明の第１の実施の形態である配線結束装置を備えた空気調和機の室内機１を示すものであって、電源配線（メイン配線）２に１つまたは複数の結束体７が設けられ、該結束体７にアース線（サブ配線）３を結束させるようにしている。上記以外の構成で図１０に示す構成と同一部分に同一符号を付してその説明を省略する。
【００２０】
前記結束体７は、図２〜図４に示すように、弾性変形可能な合成樹脂材により成形されており、前記電源配線２に外嵌する環状連結部８と、該連結部８の下面に一体突設されて先端が互いに当接または接近する弾性変形可能な一対の爪片９ａを有する挟持部９とからなり、該挟持部９の両爪片９ａを弾性変形させて、その両爪片９ａ間にアース線３を嵌入させるようにした。
【００２１】
結束手順を説明すると、連結部８を電源配線２に予め外嵌させておき、室内機１を壁面などに取り付け、電源配線２のプラグ２ａをコンセント４に差し込んだ後、アース線３を両爪片９ａの先端間に押し込むことにより、該アース線３を挟持部９に挟持させ、これによって、電源配線２とアース線３とを結束し、そのアース線３の端部をアース端子５に接続すればよい（図１参照）。
【００２２】
上記構成によれば、結束体７によりアース線３を電源配線２の下面に沿って平行に配線することができ、外観上の体裁が良好である。また、電源配線２を利用してアース線３を挟持するようになっているから、結束体７の構成が簡単になり、製作費を安くすることができる。更に、両爪片９ａの先端間にアース線３を押し込むだけで、該アース線３と電源配線２とを結束することができる。
【００２３】
図５〜図７は本発明の第２の実施の形態である配線結束装置を示すものであって、挟持部９が連結部８の側面に一体突設されている。上記以外の構成は第１の実施の形態の構成とほぼ同じであるから、同一部分に同一符号を付してその説明を省略する。
【００２４】
上記構成によれば、アース線３を電源配線２の側面に沿って平行に配線することができ、そのアース線３と電源配線２とが重なるから、外観上の体裁が良好であり、特に、前記両配線２，３を同色にすることにより、その両配線２，３を一体化させることができ、外観上の体裁を一層良好に維持することができる。
【００２５】
図８は本発明の第３の実施の形態である配線結束装置を示すものであって、挟持部９が連結部８の外周面複数箇所（この実施の形態では３箇所）に一体突設されている。上記以外の構成は第１、第２の実施の形態とほぼ同じであるから、同一部分に同一符号を付してその説明を省略する。
【００２６】
上記構成によれば、挟持部９が複数設けられているから、所望の挟持部９にアース線３を挟持させることができると共に、残りの挟持部９に他の電気機器の配線などを挟持させることができ、使い勝手が良い。
【００２７】
図９のように、挟持部９の両爪片９ａの先端角部に、その先端角部を切除して傾斜面１０を形成してもよい。
【００２８】
上記構成によれば、図９に実線で示す状態からアース線３を傾斜面１０に押し付けることにより、そのアース線３を両爪片９ａ間に容易に嵌入させることができる。
【００２９】
図３及び図６に仮想線で示すように、連結部８の外周面に略Ｌ字状の係止片１１を突設してもよい。
【００３０】
上記構成によれば、係止片１１を壁面に設けた固定側突起部１２に係止することにより、電源配線２とアース線３とを前記壁面に沿って所定通りに結束することができる。
【００３１】
【発明の効果】
請求項１記載の発明によれば、結束体によりメイン配線とサブ配線とを一つにまとめているから、外観上の体裁が良好である。また、メイン配線を利用してサブ配線を結束するようになっているから、前記結束体の構成が簡単になり、製作費を安くすることができる。
【００３２】
また、結束体の構成が簡単で製作費を安くすることができ、また、連結部をメイン配線に外嵌させた状態で、一対の爪片の先端間にサブ配線を押し込むだけで、メイン配線とサブ配線とを容易に結束することができる。
【００３３】
さらに、両爪片の先端角部を切除して形成した傾斜面にサブ配線を押し付けることにより、そのサブ配線を両爪片間に容易に嵌入させることができる。
【００３４】
さらに、係止片を壁面に設けた固定側突起部に係止することにより、メイン配線とサブ配線とを前記壁面に沿って所定通りに結束することができる。
【００３５】
請求項２記載の発明によれば、サブ配線をメイン配線の下面に沿って平行に配線することができ、外観上の体裁が良好である。
【００３６】
請求項３記載の発明によれば、サブ配線をメイン配線の側面に沿って平行に配線することができ、そのサブ配線とメイン配線とが重なるから、外観上の体裁が一層良好である。
【００３７】
請求項４記載の発明によれば、挟持部が複数設けられているから、所望の挟持部にサブ配線を挟持させることができると共に、残りの挟持部に他の電気機器の配線などを挟持させることができ、使い勝手が良い。
【図面の簡単な説明】
【図１】本発明の実施の形態である配線結束装置を備えた空気調和機の室内機を示す斜視図である。
【図２】同配線結束装置の正面図である。
【図３】同横断面図である。
【図４】同分解斜視図である。
【図５】本発明の他の実施の形態である配線結束装置を示す正面図である。
【図６】同横断面図である。
【図７】同分解斜視図である。
【図８】本発明のさらに他の実施の形態である配線結束装置を示す斜視図である。
【図９】本発明の実施の形態である配線結束装置を示す拡大縦断面図である。
【図１０】従来例を示す斜視図である。
【符号の説明】
２  電源配線（メイン配線）
３  アース線（サブ配線）
７  結束体
８  連結部
９  挟持部
９ａ  爪片
１０  傾斜面
１１  係止片
１２  固定側突起部
【図１】
0003552933.tif 000002
【図２】
0003552933.tif 000003
【図３】
0003552933.tif 000004
【図４】
0003552933.tif 000005
【図５】
0003552933.tif 000006
【図６】
0003552933.tif 000007
【図７】
0003552933.tif 000008
【図８】
0003552933.tif 000009
【図９】
0003552933.tif 000010
【図１０】
0003552933.tif 000011